(57)【要約】【課題】内側障子及び外側障子の荷重を直接窓台で受けるように配置して、下枠の下方への撓みを防止すること。更には、上記課題に加えて、雨水等の浸入物の室内側への浸入を防止すること。【解決手段】窓枠１０の取付構造１において、窓台３は内側障子２１の荷重作用線５１と外側障子２２の荷重作用線５２の両方を受ける位置に配置することとした。【選択図】        図１
2006063671.tif 000002
【特許請求の範囲】
【請求項１】
住宅等の建物の外壁に形成される開口部に設けられる上枠、下枠、右縦枠及び左縦枠から接合される略方形の窓枠に、外側障子と内側障子が引違い移動により開閉可能に内外に配設されており、該窓枠の下枠の下側に該窓枠の荷重を支持する窓台が設けられる窓枠の取付構造であって、
前記窓台は前記内側障子の荷重作用線と前記外側障子の荷重作用線の両方を受ける位置に配置されていることを特徴とする窓枠の取付構造。
【請求項２】
請求項１に記載の窓枠の取付構造であって、
前記窓枠の下枠上面には前記外側障子と前記内側障子をスライドさせることのできるレール部材が内外に立設されており、前記両障子の荷重が該レール部材により前記下枠へ伝達されることを特徴とする窓枠の取付構造。
【請求項３】
請求項２に記載の窓枠の取付構造であって、
前記外側障子と前記内側障子の前記各レール部材間には前記下枠上面近傍における室外側から室内側への浸入物の浸入を防ぐための防止壁が立設されていることを特徴とする窓枠の取付構造。
【請求項４】
請求項３に記載された窓枠の取付構造であって
前記防止壁の上部を覆い、該防止壁に対して摺動可能なシール部材が前記内側障子の下部に設けられたことを特徴とする窓枠の取付構造。
【発明の詳細な説明】
【技術分野】
【０００１】
本発明は、窓枠の取付構造に関する。詳細には、内側障子及び外側障子の荷重を窓台で受ける窓枠の取付構造に関する。
【背景技術】
【０００２】
この技術に関する従来の窓枠の取付構造を図６に示す。図６は、従来の窓枠１０の取付構造１の構成を示す縦断面図である。図６に示すように、窓枠１０は、上枠１１、下枠１２、左縦枠及び右縦枠（図示省略）から構成されている。窓枠１０内には、室外側（図６で見て左側）から順に外側障子２１と内側障子２２が配置され、いわゆる半外付け形式の引違い障子２０となっている。下枠１２の下側には窓枠１０の荷重を支持する窓台３が設けられている。このような窓枠１０の取付構造１において、内側障子２２の荷重Ｋ２は下枠１２の室内側に立設された内側レール４２を介して窓台３で受ける。一方、外側障子２１の荷重Ｋ１は窓台３では受けずに外側障子２１の下方に位置する中空の窓下部Ｍ方向に掛かる。
ところで、窓枠の取付構造においては、風雨や横風が強い場合に吹き上がりによる雨水等の浸入物の室内側への浸入を防止できる構造が望ましいとされている。
この種の関連技術として、下記に示す特許文献１が挙げられる。
【０００３】
【特許文献１】特開平１０−８８３６号公報
【発明の開示】
【発明が解決しようとする課題】
【０００４】
しかしながら、上記した従来の窓枠の取付構造では、以下のような問題が生じていた。近年防犯上の観点から障子に複数のガラス組み込んで構成するため窓枠に掛かる荷重が重くなる傾向にあるが、従来の取付構造では外側障子の荷重をその作用線方向において直接窓台で受ける構造となっていないため、下枠が下方への撓むおそれがあるという問題が生じている。つまり、外側障子の荷重が窓台で片端支持構造により支持されているため、外側障子の荷重が中空の窓下部に集中するという問題が指摘されていた。また、雨水等の浸入物の浸入を防止できる窓枠の取付構造としなければ室内側の部材が腐食等の劣化を引き起こすという問題も指摘されていた。
【０００５】
本発明は上記のような問題に鑑みてなされたものであり、本発明が解決しようとする課題は、内側障子及び外側障子の荷重を直接窓台で受けるように配置して、下枠の下方への撓みを防止することである。
更には、上記課題に加えて、雨水等の浸入物の室内側への浸入を防止することにある。
【課題を解決するための手段】
【０００６】
上記目的を達成するため本発明は次の手段をとる。
まず、第１の発明は、住宅等の建物の外壁に形成される開口部に設けられる上枠、下枠、右縦枠及び左縦枠から接合される略方形の窓枠に、外側障子と内側障子が引違い移動により開閉可能に内外に配設されており、該窓枠の下枠の下側に該窓枠の荷重を支持する窓台が設けられる窓枠の取付構造であって、前記窓台は前記内側障子の荷重作用線と前記外側障子の荷重作用線の両方を受ける位置に配置されていることを特徴とする。
【０００７】
この第１の発明では、内側障子の荷重作用線と外側障子の荷重作用線の両方が直接窓台で受ける位置に配置される。すなわち、内側障子及び外側障子の荷重全てが窓台の上面によって支持される。これにより窓枠を構成する下枠の下方への撓みが防止される。また、窓枠が安定した状態となるので耐震性が向上する。
【０００８】
次に、第２の発明は、上記した第１の発明に係る窓枠の取付構造において、前記窓枠の下枠上面には前記外側障子と内側障子をスライドさせることのできるレール部材が内外に立設されており、前記両障子の荷重が該レール部材により前記下枠へ伝達されることを特徴とする。
【０００９】
この第２の発明では、下枠上面に外側障子と内側障子をスライドさせるレール部材を立設させると、外側障子及び内側障子の重心が安定する。また、外側障子と内側障子の引違い移動をスムーズに行うことができる。そして、外側障子と内側障子の荷重はこのレール部材に伝達され、両者の荷重作用線は窓台で受ける位置に配置される。
【００１０】
次に、第３の発明は、上記した第２の発明に係る窓枠の取付構造において、前前記外側障子と内側障子の前記各レール部材間には前記下枠上面近傍における室外側から室内側への浸入物の浸入を防ぐための防止壁が立設されていることを特徴とする。
【００１１】
この第３の発明では、外側障子と内側障子の各レール部材間には防止壁が立設されている。これにより防止壁よりも室内側へ浸入しようとする浸入物の浸入を阻止し、窓枠の構成部材の劣化を防止することができる。ここで、本発明における浸入物とは下枠上面近傍において吹き上がり等により室外側から室内側へはいりこんでいく雨水、ゴミなどを指している。
【００１２】
次に、第４の発明は、上記した第３の発明に係る窓枠の取付構造において、前記防止壁の上部を覆い、該防止壁に対して摺動可能なシール部材が前記内側障子の下部に設けられたことを特徴とする。
【００１３】
この第４の発明では、内側障子の下部にシール部材が設けられて、このシール部材が防止壁の上部を覆い、摺動可能な構成となっている。これにより、内側障子と防止壁との隙間を埋めている。つまり、防止壁から室内側へ浸入物の浸入をより確実に阻止することができる。
【発明の効果】
【００１４】
本発明は上述した手段をとることにより、次の効果を得ることができる。
先ず、第１の発明によれば、外側障子と内側障子の荷重全てが窓台の上面によって支持される。つまり、窓下部への荷重の集中が回避され下枠の下方への撓みを防止できる。
次に、第２の発明によれば、下枠上面にレール部材を設けることにより外側障子と内側障子の重心が安定する。つまり、荷重作用線のぶれがなくなり窓枠全体の安定性がさらに向上する。
次に、第３の発明によれば、吹き上がりなどによる雨水等の浸入物の浸入を有効に防止することができる。
次に、第４の発明によれば、内側障子の下部にシール部材を設けることにより防止壁から室内側への浸入物の浸入をより確実に阻止することができる。
【発明を実施するための最良の形態】
【００１５】
以下、本発明の実施の形態を図面に基づいて説明する。
図１は、本実施形態の窓枠１０の取付構造１を示す縦断面図である。図２は、本実施形態の窓枠１０の取付構造１を上から見た断面図である。図３は、召合プレート６１、６２を示す斜視図である。図１に示すように、窓枠１０が建物の外壁Ｗの開口部Ｋに取り付けられている。この取付構造１は、窓枠１０が開口部Ｋの上端のまぐさ３１と開口部Ｋの下端の窓台３との間に組み込まれる構成となっている。窓枠１０は、開口部Ｋの四方を囲むように上枠１１、下枠１２、右縦枠１３及び左縦枠１４から接合された四方形の形状となっている。下枠１２の下方には窓台３が位置し、窓台３が窓枠１０の荷重を支持する構成となっている。上枠１１とまぐさ３１との間及び下枠１０と窓台３との間には窓枠１０の取付位置を調整するための調整スペーサ３３ａ、３３ｂが装着されている。窓枠１０内には、外側障子２１及び内側障子２２が内外に配設されており、引違い移動により開閉可能ないわゆる半外付け形式となっている。
【００１６】
窓枠１０を構成する上枠１１と下枠１２は共にアルミの押出成形によって一体成形されている。このため上枠１１と下枠１２には中空部Ｇが形成されている。これにより窓枠１０が軽量化されるので、窓台３に加わる荷重を軽減させることができる。この各枠が右縦枠１３及び左縦枠１４と共に枠組みされ互いの端部がビス止め等の適宜手段で接合される。
【００１７】
上枠１１の下面には、外側障子２１及び内側障子２２の引違い移動を案内するための上外側レール部材４１ａと上内側レール部材４２ａが下方向に垂設されている。同様に、下枠１２の上面１２ｄには、下外側レール部材４１ｂと下内側レール部材４２ｂが上方向に垂設されている。従って、外側障子２１及び内側障子２２の荷重作用線５１、５２は下枠１２に対してほぼ垂直に働くことになる。また、図１に示すように荷重作用線５１、５２の両方を受ける位置には窓台３が配置されている。これにより外側障子２１及び内側障子２２の荷重が窓台の上面によって全て支持されるので下枠１２の下方への撓みを防止できる。また、窓枠の安定性及び耐震性も向上する。なお、上枠１１の下面と下枠１２の上面の室外側には、網戸（図示省略）を案内するための網戸レール２５ａ、２５ｂが垂設されている。
【００１８】
外側障子２１及び内側障子２２は、それぞれ図１に示す上かまち２１ａ、２２ａと下かまち２１ｂ、２２ｂ及び図２に示すたてかまち２１ｃ、２２ｃと召合せかまち２１ｄ、２２ｄとを組み付けることにより構成されている。この外側障子２１及び内側障子２２には２枚のガラス７、７が嵌め込まれている。つまり、外側障子２１及び内側障子２２は共に複層ガラス構造となっている。各かまちとガラス７、７との間にはパッキン（図示省略）で接着されており強度を強固なものとしている。このように障子が複層ガラス構造となり窓枠１０に掛かる重量が重い場合でも、外側障子２１及び内側障子２２の荷重全てが窓台の上面によって支持されているため下枠１２の下方への撓みは軽減される。なお、外側障子２１及び内側障子２２はガラス１枚が嵌め込まれたいわゆる単板ガラス構造となっていてもよい。また、図２に示すように、召合せかまち２２ｄの左縦枠側の側面には施錠するためのクレセント２２ｅが設けられている。
【００１９】
上かまち２１ａ、２２ａの上部には上外側レール部材４１ａと上内側レール部材４２ａへ嵌め込まれるための切欠部２１ｅ、２２ｅが形成されている。下かまち２１ｂ、２２ｂには、下外側レール部材４１ｂと下内側レール部材４２ｂ上を移動する戸車２１ｆ、２２ｆが装着されている。これにより外側障子２１及び内側障子２２は下外側レール部材４１ｂ、下内側レール部材４２ｂ上をスライド移動することができる。このように切欠部２１ｅ、２２ｅ及び戸車２１ｆ、２２ｆがレール部材に嵌め込まれるので外側障子２１と内側障子２２の重心が安定する。つまり、荷重作用線のぶれがなくなり窓枠１０全体の安定性を向上させることができる。
【００２０】
上枠１１の室外側（図１で見て左側）には当接部材１１ａが立設しており、室内側（図１で見て右側）の側面には当接部材１１ｂが配設されている。当接部材１１ａはまぐさ３１と接着されている。当接部材１１ａ、１１ｂにはフィンカット１６ａ、１６ｂが設けられている。フィンカット１６ａ、１６ｂを支点として当接部材１１ａ、１１ｂを折り曲げてフィンカット１６ａ、１６ｂから当接部材１１ａ、１１ｂの先端部までの部分を切り取ると当接部材１１ａ、１１ｂの長さを調整することができる。これにより当接部材１１ａ、１１ｂを配設する際の上枠１１及び下枠１２の汎用性が向上する。同様に、右縦枠１３及び左縦枠１４にもフィンカット１６ｃ、１６ｄが設けられている。当接部材１１ｂはまぐさ３１の下方に位置する額縁３２と接着されている。これらの溶着により、上枠１１は開口部Ｋの上端において強固に固定されている。また、上枠１１の上面の２箇所には、右縦枠１３及び左縦枠１４と組み付けねじ（図示省略）により組み付けられるためのビスホール１５ａ、１５ｂが配設されている。これにより窓枠１０の組み付けを容易としている。
【００２１】
下枠１２には、この下枠１２に加わる荷重を受けるための立柱１７ａ、１７ｂ、１７ｃが立設されている。立柱１７ａは、下外側レール部材４１ｂが延長して配設された構成となっている。このため外側障子２１の荷重は立柱１７ａに伝達される。同様に、立柱１７ｂは、下内側レール部材４２ｂが延長して配設された構成となっており、内側障子２２の荷重は立柱１７ｂに伝達される。立柱１７ａ、１７ｂの下部にはこの立柱１７ａ、１７ｂに加わる荷重を緩衝させるための土台１９ａ、１９ｂが設けられている。また、下枠１２の下面１２ｃの室内側（図１で見て右側）にも土台１９ｃが設けられている。この土台１９ａ、１９ｂ、１９ｃの設置により外側障子２１及び内側障子２２の荷重が緩衝され、下枠１２の下方への撓みが防止され得る。
【００２２】
下枠１２の室外側（図１で見て左側）には当接部材１２ａが下方に垂設しており、室内側（図１で見て右側）の立柱１７ｃの上部には当接部材１２ｂが配設されている。これらの当接部材１２ａ、１２ｂは共に組付けねじ（図示省略）により固定されている。これにより下枠１２は開口部Ｋの下端において強固に固定される。また、下枠１２の室外側（図１で見て左側）には地面方向に対して傾斜して形成された雨水排出部材１２ｃが配設されており、雨水の排出が効率よく行われる。下枠１２の上面１２ｄの中空部Ｇ側に向いた２箇所と立柱１５ａの下部の１箇所に右縦枠１３及び左縦枠１４と組み付けねじ（図示省略）により組み付けられるためのビスホール１５ａ、１５ｂ、１５ｃが配設されている。これにより窓枠１０の組み付けを容易としている。
【００２３】
上面１２ｄに立設された下外側レール部材４１ｂと下内側レール部材４２ｂとの間には防止壁８１、８２が２箇所立設されている。これにより室外側から室内側への雨水等の浸入物の浸入が有効に防止され得る。すなわち、上面１２ｄ近傍で吹き上がりが発生しても雨水等の浸入物は防止壁８１、８２により跳ね返される。また、図１に示すように、上面１２ｄは地面方向に向かって下側に傾斜して形成している。従って、上面１２ｄにある雨水は図２に示す矢印方向Ａ１、Ａ２へ流れ、網戸レール２５ｂに形成された排水切欠１２ｆから排出される。これにより上面１２ｄに雨水が溜まることがないため、下枠１２の劣化を防止することができる。さらに、図１に示すように下内側レール部材４２ｂの高さ位置は下外側レール部材４１ｂの高さ位置に比べ高く設定されている。このような高さ位置を設定すると、吹き上がりによる浸入物の浸入をより確実に防止できる。
【００２４】
下外側レール部材４１ｂと防止壁８１との間には、召合プレート６１が嵌め込まれている。また、下内側レール部材４２ｂと防止壁８２との間には、召合プレート６２が嵌め込まれている。図３（ａ）に示すように、召合プレート６１は図２に示す矢印方向Ａ３１（左枠１４方向）から流れてくる雨水を図２に示す矢印方向Ａ３２（地面に落下する方向）へ排出するための水抜側部６ａと水抜正面部６ｂ、６ｃが形成されている。下外側レール部材４１ｂには水抜部４１ｃが形成されており矢印方向Ａ３２の雨水の流出を可能としている。これにより下枠１２の上面１２ｄの一箇所に雨水が溜らず水はけが良くなるので、下枠１２の劣化を防止できる。なお、水抜側部６ａの反対側の側面には水抜側部は形成されていない構成となっている。また、召合プレート６１、６２が嵌め込まれることで外側障子２１と内側障子２２を閉めた状態（召し合わせ状態）において召し合わされた箇所の上面１２ｄにゴミやほこりが溜まることを防止できる。この召合プレート６１、６２は地面方向へ傾斜して形成され、その上側の面には雨水を排出しやすくするための傾斜溝６ｄが設けられている。これにより召合プレート６１、６２の上側の面に雨水が溜まりにくくなる。
【００２５】
内側障子２２の下部の下かまち２２ｂには、防止壁８２に対して摺動可能なシール部材９１が設けられている。これにより防止壁８２と内側障子２２の下部との間は隙間がない状態となる。すなわち、特に内側障子２２の内側の戸車２２ｆなどの部材の劣化を防ぐことができる。また、下かまち２１ｂの図１で見て左側の下部にはシール部材９２が嵌め込まれ、下外側レール部材４１ｂと当接している。同様に下枠１２の立柱１７ｃの上部にもシール部材９３が嵌め込まれ、内側障子２２と当接している。そして、外側障子２１の上部にもシール部材９４が嵌め込まれ、上外側レール部材４１ａと当接している。同じく内側障子２２の上部にはシール部材９５が嵌め込まれ、上内側レール部材４２ａと当接している。これらシール部材９２、９３、９４、９５を設けることにより雨水等の浸入物の浸入を防止できる。
【００２６】
図４及び図５に別の実施形態として、防止壁８０を１箇所立設させた下枠１２の斜視図を示す。図４は下枠１２を右枠１３側から見た斜視図である。図４に示すように、下内側レール部材４２ｂ及び防止壁８０の所定の箇所に雨水等の浸入物を流出するための水抜部６３が形成されている。これにより水はけがスムーズに行われる。図５は、下枠１２を左枠１３側から見た斜視図である。図５に示すように、下内側レール部材４２ｂと防止壁８０との間と防止壁８０と下外側レール部材４１ｂとの間には召合プレート６１、６２が嵌め込まれている。召合プレート６１は図３（ａ）示す形状と同様であり、矢印方向Ａ３１から流れてくる雨水を水抜部６３から矢印方向Ａ３２へ排出する構成となっている。一方、召合プレート６２は図３（ｂ）に示すように水抜部は形成されていない。つまり、召合プレート６２は召し合わせ状態において召し合わされた箇所の下面１２ｄにおけるゴミやほこりの蓄積を防止することのみを目的に配置されている。このように、水抜部や召合プレートを組み合わせて下枠を形成すると窓枠の取付構造を様々な態様として構成することができる。
【００２７】
以上、本発明の実施形態について説明したが上記実施形態の構成に限定されることはなく、その他種々の形態で実施ができるものである。
例えば、本実施形態では、各レール部材を配置しているが、レール部材を配置しないタイプの窓枠の取付構造に適用する場合であってもよい。
また、本実施形態では、下枠１２と窓台３との間に調整スペーサ３３ｂを介在させた場合の例について示したが、この調整スペーサ３３ｂを設けず窓台３が窓枠１０の荷重を直接受ける取付構造とした場合であってもよい。
さらに、本発明は建物の外壁に設けるのであれば、建物の１階部分におけるいわゆるはき出し窓だけでなく建物の２階部分の窓など様々な外壁部分に適用することが可能である。
【図面の簡単な説明】
【００２８】
【図１】本実施形態の窓枠の取付構造を示す縦断面図である。
【図２】本実施形態の窓枠の取付構造を上から見た断面図である。
【図３】召合プレートを示す斜視図である。
【図４】別の実施形態における下枠を右枠側から見た斜視図である。
【図５】別の実施形態における下枠を左枠側から見た斜視図である。
【図６】従来の窓枠の取付構造を示す縦断面図である。
【符号の説明】
【００２９】
１    窓枠の取付構造
３    窓台
７    ガラス
１０  窓枠
１１  上枠
１２  下枠
１２ｄ        上面
１３  右縦枠
１４  左縦枠
１７ａ、１７ｂ、１７ｃ  立柱
１９ａ、１９ｂ、１９ｃ  土台
２１  外側障子
２２  内側障子
４１ａ    上外側レール部材
４１ｂ    下外側レール部材
４２ａ    上内側レール部材
４２ｂ    下内側レール部材
５１、５２  荷重作用線
６１、６２  召合プレート
８０、８１、８２  防止壁
９１、９２、９３、９４、９５  シール部材
Ａ１、Ａ２、Ａ３１、Ａ３２    矢印方向
Ｇ    中空部
Ｋ    開口部
Ｍ    窓下部
Ｗ    外壁
【図１】
2006063671.tif 000003
【図２】
2006063671.tif 000004
【図３】
2006063671.tif 000005
【図４】
2006063671.tif 000006
【図５】
2006063671.tif 000007
【図６】
2006063671.tif 000008